(57)【特許請求の範囲】
【請求項１】
リモート管理装置と端末装置との間で通信を行うネットワークシステムであって、
前記リモート管理装置は、管理エンジンアクセス部を有し、
前記端末装置は、ネットワーク通信部およびネットワーク設定部を有し、
前記管理エンジンアクセス部は、管理操作を行う前記端末装置が休止状態にある場合に、所定のネットワーク設定を前記端末装置に送信するとともに、活動状態への移行指示を前記端末装置に送信し、
前記ネットワーク設定部は、前記端末装置が休止状態から活動状態に移行する際に、前記リモート管理装置から受信した前記所定のネットワーク設定を前記ネットワーク通信部に設定するネットワークシステムにおいて、
前記端末装置は、ネットワーク設定を記憶するネットワーク設定記憶部をさらに有し、
前記ネットワーク設定部は、前記ネットワーク設定記憶部のネットワーク設定を、休止状態にある前記端末装置にもともと設定されていたネットワーク設定を記憶するユーザネットワーク設定記憶部に記憶されているネットワーク設定に変更する
ことを特徴とするネットワークシステム。
【請求項２】
前記管理エンジンアクセス部は、前記ネットワーク設定記憶部に対する前記所定のネットワーク設定の書き込みに失敗した場合に、リモート管理操作が実行できないことを管理者に通報する
ことを特徴とする請求項１に記載のネットワークシステム。
【請求項３】
リモート管理装置と端末装置との間で通信を行うネットワークシステムにおけるネットワーク設定方法であって、
管理操作を行う前記端末装置が休止状態にある場合に、前記リモート管理装置から前記端末装置に対して所定のネットワーク設定を書き込むステップと、
前記所定のネットワーク設定の書き込み後に、前記リモート管理装置が前記端末装置を活動状態に移行させるステップと、
前記端末装置が休止状態から活動状態に移行する際に、書き込まれた前記所定のネットワーク設定を読み出して、前記端末装置のネットワーク設定として設定するステップと、
前記端末装置において、休止状態にある前記端末装置にもともと設定されていたネットワーク設定を記憶するステップと、
を備えたことを特徴とするネットワーク設定方法。
【請求項４】
ネットワークシステムにおいて、リモート管理装置との間で通信を行う端末装置であって、
前記端末装置は、ネットワーク通信部およびネットワーク設定部を有し、
前記ネットワーク通信部は、前記リモート管理装置から所定のネットワーク設定と活動状態への移行指示とを受信し、
前記ネットワーク設定部は、休止状態から活動状態に移行する際に、受信した前記所定のネットワーク設定を前記ネットワーク通信部に設定する端末装置において、
前記端末装置は、ネットワーク設定を記憶するネットワーク設定記憶部をさらに有し、
前記ネットワーク設定部は、前記ネットワーク設定記憶部のネットワーク設定を、休止状態にある前記端末装置にもともと設定されていたネットワーク設定を記憶するユーザネットワーク設定記憶部に記憶されているネットワーク設定に変更する
ことを特徴とする端末装置。
【発明の詳細な説明】
【技術分野】
【０００１】
この発明は、リモート管理装置と端末装置との間で通信を行うネットワークシステムおよびネットワーク設定方法に関する。
【背景技術】
【０００２】
従来から、パソコン（Ｐｅｒｓｏｎａｌ  Ｃｏｍｐｕｔｅｒ）ＰＣ１にネットワーク設定記憶媒体を接続して、パソコンＰＣ１に設定されているネットワーク設定情報をネットワーク設定記憶媒体に保存し、次いで、パソコンＰＣ２にネットワーク設定記憶媒体を接続して、ネットワーク設定記憶媒体に保存されたネットワーク設定情報をパソコンＰＣ２に設定するネットワーク設定プログラムが知られている（例えば、特許文献１参照）。
【０００３】
また、持ち運び可能なノート型のＰＣ（端末装置）を、例えばエレベータのメンテナンスの現場および事務所で使用する場合、利用者が、ＰＣの起動後に使用場所に合わせて手動でネットワーク設定（ＬＡＮ（Ｌｏｃａｌ  Ａｒｅａ  Ｎｅｔｗｏｒｋ）設定）を切り替えている。
【０００４】
具体的には、現場でのネットワークは、構成簡略化のためにＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバを置かず、固定ＩＰアドレスで運用する。そこで、利用者は、現場でＰＣを使用する場合には、ＬＡＮ設定を固定ＩＰアドレスに設定し、事務所でＰＣを使用する場合には、ＬＡＮ設定をＤＨＣＰに設定する。
【先行技術文献】
【特許文献】
【０００５】
【特許文献１】特開２００８−２３４４３８号公報
【発明の概要】
【発明が解決しようとする課題】
【０００６】
しかしながら、従来技術には、以下のような課題がある。
利用者が現場から持ち帰ったＰＣは、ＬＡＮケーブルに接続され、電源オフ状態で事務所に保管される。ここで、ＩＴ管理者が、夜間等にリモート管理コンソール（リモート管理装置）から保管されたＰＣをリモート起動し、リモートデスクトップ接続によりＰＣの設定変更やＳ／Ｗ（Ｓｏｆｔｗａｒｅ）の更新作業等を行う場合がある。
【０００７】
このとき、ＰＣのネットワーク設定は、利用者が手動で切り替えているので、ＬＡＮ設定が現場設定から事務所設定に戻されず、現場設定のままになっている場合には、リモート起動後にリモートデスクトップ接続をすることができず、ＩＴ管理者がＰＣの設定変更等を行うことができないという問題がある。
【０００８】
すなわち、リモート起動は、例えばＷａｋｅ  ｏｎ  ＬＡＮやＡＭＴ（Ａｃｔｉｖｅ  Ｍａｎａｇｅｍｅｎｔ  Ｔｅｃｈｎｏｌｏｇｙ）リモート管理により行うことができるが、リモート起動が成功しても、リモートデスクトップ接続は、ＯＳ（Ｏｐｅｒａｔｉｎｇ  Ｓｙｓｔｅｍ）の管理で動作するので、ＯＳへのネットワーク設定が適切に行われている必要があるためである。
【０００９】
また、事務所ＬＡＮに不正ＰＣ監視装置を接続している場合には、現場設定のＰＣを不正ＰＣであると検知して、事務所ＬＡＮへの接続を遮断する。そのため、この場合には、復旧に時間がかかるという問題もある。
【００１０】
この発明は、上記のような課題を解決するためになされたものであり、端末装置のネットワーク設定が現場設定のまま事務所ＬＡＮに接続されて電源オフ状態で保管された場合でも、リモート管理装置から端末装置にリモートデスクトップ接続することができるネットワークシステムおよびネットワーク設定方法を得ることを目的とする。
【課題を解決するための手段】
【００１１】
この発明に係るネットワークシステムは、リモート管理装置と端末装置との間で通信を行うネットワークシステムであって、リモート管理装置は、管理エンジンアクセス部を有し、端末装置は、ネットワーク通信部およびネットワーク設定部を有し、管理エンジンアクセス部は、管理操作を行う端末装置が休止状態にある場合に、所定のネットワーク設定を端末装置に送信するとともに、活動状態への移行指示を端末装置に送信し、ネットワーク設定部は、端末装置が休止状態から活動状態に移行する際に、リモート管理装置から受信した所定のネットワーク設定をネットワーク通信部に設定するネットワークシステムにおいて、端末装置は、ネットワーク設定を記憶するネットワーク設定記憶部をさらに有し、ネットワーク設定部は、ネットワーク設定記憶部のネットワーク設定を、休止状態にある端末装置にもともと設定されていたネットワーク設定を記憶するユーザネットワーク設定記憶部に記憶されているネットワーク設定に変更するものである。
【００１２】
また、この発明に係るネットワーク設定方法は、リモート管理装置と端末装置との間で通信を行うネットワークシステムにおけるネットワーク設定方法であって、管理操作を行う端末装置が休止状態にある場合に、リモート管理装置から端末装置に対して所定のネットワーク設定を書き込むステップと、所定のネットワーク設定の書き込み後に、リモート管理装置が端末装置を活動状態に移行させるステップと、端末装置が休止状態から活動状態に移行する際に、書き込まれた所定のネットワーク設定を読み出して、端末装置のネットワーク設定として設定するステップと、端末装置において、休止状態にある端末装置にもともと設定されていたネットワーク設定を記憶するステップと、を備えたものである。
【発明の効果】
【００１３】
この発明に係るネットワークシステムおよびネットワーク設定方法によれば、リモート管理装置は、管理操作を行う端末装置が休止状態にある場合に、リモート管理装置から端末装置に対して所定のネットワーク設定を書き込んだ後に、端末装置を休止状態から活動状態に移行させる。
そのため、リモート管理装置から端末装置のネットワーク設定を事務所ＬＡＮ設定に変更することができる。
したがって、端末装置のネットワーク設定が現場設定のまま事務所ＬＡＮに接続されて電源オフ状態で保管された場合でも、リモート管理装置から端末装置にリモートデスクトップ接続することができる。
【図面の簡単な説明】
【００１４】
【図１】この発明の実施の形態１に係るネットワークシステムを示すブロック構成図である。
【図２】図１に示した端末装置のハードウエアを示すブロック構成図である。
【図３】図１に示したリモート管理装置の管理エンジンアクセス部の動作を示すフローチャートである。
【図４】図１に示したリモート管理装置のリモートデスクトップクライアント部の動作を示すフローチャートである。
【図５】図１に示した端末装置のネットワーク設定部の動作を示すフローチャートである。
【発明を実施するための形態】
【００１５】
以下、この発明に係るネットワークシステムおよびネットワーク設定方法の好適な実施の形態につき図面を用いて説明するが、各図において同一、または相当する部分については、同一符号を付して説明する。
【００１６】
実施の形態１．
図１は、この発明の実施の形態１に係るネットワークシステムを示すブロック構成図である。図１において、このネットワークシステムは、リモート管理装置１０と、リモートデスクトップ接続によりリモート管理装置１０と接続される端末装置２０とから構成されている。
【００１７】
リモート管理装置１０は、管理エンジンアクセス部１１と、リモートデスクトップクライアント部１２と、管理エンジンアクセス部１１およびリモートデスクトップクライアント部１２に接続されたネットワーク通信部１３と、ネットワーク通信部１３に接続されたネットワークインタフェース部１４とを有している。
【００１８】
端末装置２０は、インテル（登録商標）アクティブ・マネジメント・テクノロジ（Ｉｎｔｅｌ（登録商標）  ＡＭＴ）に対応したＰＣから構成されている。端末装置２０は、操作されることにより、電源オンでＯＳ（例えば、Ｗｉｎｄｏｗｓ（登録商標））が稼働している状態である活動状態（Ｓ０状態）と、ソフトウエアによる電源オフ（ただし一部デバイスへの給電あり）でＯＳが非稼働の状態である休止状態（Ｓ５状態）とに切り替わるようになっている。
【００１９】
端末装置２０は、端末装置２０の状態が活動状態のときにのみ動作する活動状態動作部３０と、端末装置２０が活動状態であるか休止状態であるかに関係なく動作する定常動作部４０とを有している。なお、休止状態において、他のＰＣからの不揮発メモリへのアクセス、休止状態から活動状態への電源オンまたは電源オフが可能である。
【００２０】
活動状態動作部３０は、リモートデスクトップサーバ部３１と、ネットワーク通信部３２と、ネットワーク設定部３３と、ユーザネットワーク設定記憶部３４と、ネットワーク設定部３３に接続された管理エンジンインタフェース部３５とを有している。
【００２１】
定常動作部４０は、ネットワークインタフェース部４１と、管理エンジン部４２と、不揮発メモリ管理部４３と、ネットワーク設定記憶部４４と、端末装置２０が活動状態であるか休止状態であるかに関係なく、管理エンジン部４２に通電する電源管理部４５とを有している。
【００２２】
ここで、リモートデスクトップクライアント部１２とリモートデスクトップサーバ部３１とで、リモートデスクトップ接続による端末装置２０の管理操作が実行される。なお、ネットワークインタフェース部４１および管理エンジン部４２は、休止状態においては、常に事務所ＬＡＮ設定で動作するように設定されている。
【００２３】
図２は、図１に示した端末装置２０のハードウエアを示すブロック構成図である。端末装置２０のハードウエアは、活動状態動作部３０を動作させるための活動状態動作ハードウエア部５０と、定常動作部４０を動作させるための定常動作ハードウエア部６０と、活動状態動作ハードウエア部５０および定常動作ハードウエア部６０のそれぞれに電力を供給する電源供給装置７０とを有している。
【００２４】
活動状態動作ハードウエア部５０は、ＣＰＵ（Ｃｅｎｔｒａｌ  Ｐｒｏｃｅｓｓｉｎｇ  Ｕｎｉｔ）５１と、ＨＤＤ（Ｈａｒｄ  Ｄｉｓｃ  Ｄｒｉｖｅ）５２と、ＨＤＤ５２を制御するＨＤＤコントローラ５３と、ディスプレイ５４と、ディスプレイ５４を制御するディスプレイコントローラ５５と、スピーカ５６と、スピーカ５６を制御するサウンドコントローラ５７と、キーボード・マウス５８と、キーボード・マウス５８を制御する入力コントローラ５９とを有している。
【００２５】
定常動作ハードウエア部６０は、管理ＣＰＵ６１と、管理ＣＰＵ６１に接続されたメモリコントローラ６２と、メモリコントローラ６２により制御されるメモリ６３と、メモリコントローラ６２に接続されたＩ／Ｏコントローラ６４と、ＬＡＮインタフェース６５と、不揮発性メモリ６６とを有している。ＬＡＮインタフェース６５および不揮発性メモリ６６は、Ｉ／Ｏコントローラ６４に接続されている。
【００２６】
以下、図１に戻って、リモート管理装置１０および端末装置２０の主な部分の機能について説明する。なお、端末装置２０は、休止状態であり、ネットワーク通信部３２のネットワーク設定が現場設定または事務所設定の何れかになっており、このままでは、活動状態にしてリモートデスクトップサーバ部３１を実行しても、事務所ＬＡＮでリモート管理装置１０と接続できない可能性がある。
【００２７】
そこで、リモート管理装置１０の管理エンジンアクセス部１１は、端末装置２０の活動状態および休止状態で動作する不揮発メモリであるネットワーク設定記憶部４４に対して、管理エンジン部４２および不揮発メモリ管理部４３を経由して、ネットワーク通信部３２への事務所ＬＡＮ設定を書き込んだ後に、端末装置２０を活動状態にする。
【００２８】
また、端末装置２０のネットワーク設定部３３は、ＯＳが起動する際に、ネットワーク設定記憶部４４から事務所ＬＡＮ設定を読み出して、読み出した事務所ＬＡＮ設定をネットワーク通信部３２に設定する。
【００２９】
さらに、ネットワーク設定部３３は、ネットワーク設定記憶部４４の事務所ＬＡＮ設定をネットワーク通信部３２に設定した後、利用者がもともと設定していたネットワーク設定を記憶するユーザネットワーク設定記憶部３４のネットワーク設定を、ネットワーク設定記憶部４４に書き込む。
【００３０】
以下、図３のフローチャートを参照しながら、リモート管理装置１０の管理エンジンアクセス部１１の動作について説明する。なお、端末装置２０は、休止状態である。
まず、管理エンジンアクセス部１１は、端末装置２０の管理エンジン部４２との接続をとる（ステップＳ１１）。
【００３１】
続いて、管理エンジンアクセス部１１は、端末装置２０の不揮発メモリ管理部４３に対して、ネットワーク設定記憶部４４に設定するネットワーク設定を送信する（ステップＳ１２）。
【００３２】
次に、管理エンジンアクセス部１１は、ネットワーク設定記憶部４４に対するネットワーク設定書き込みが成功したか否かを判定する（ステップＳ１３）。
ステップＳ１３において、ネットワーク設定記憶部４４に対するネットワーク設定書き込みが成功した（すなわち、Ｙｅｓ）と判定された場合には、管理エンジンアクセス部１１は、端末装置２０の管理エンジン部４２に対して、活動状態への移行を指示する（ステップＳ１４）。
【００３３】
ここで、ステップＳ１３の具体的な判定方法として、まず、不揮発メモリ管理部４３は、受信したネットワーク設定のネットワーク設定記憶部４４への書き込みを行い、管理エンジンアクセス部１１へ、書き込みの成功または失敗を応答する。
また、管理エンジンアクセス部１１は、ネットワーク設定の書き込み成功が応答された場合に、設定書き込みが成功したと判定する。
なお、管理エンジンアクセス部１１は、ネットワーク設定の書き込み失敗が応答された場合、またはネットワーク設定の送信後、所定の期間内に応答がなく、タイムアウトした場合に、設定書き込み失敗と判定する。
【００３４】
続いて、リモート管理装置１０のリモートデスクトップクライアント部１２が起動される（ステップＳ１５）。
続いて、管理者による端末装置２０の管理操作の終了により、リモートデスクトップクライアント部１２が終了したか否かが判定される（ステップＳ１６）。
【００３５】
ステップＳ１６において、リモートデスクトップクライアント部１２が終了した（すなわち、Ｙｅｓ）と判定された場合には、管理エンジンアクセス部１１は、端末装置２０の管理エンジン部４２に対して、休止状態への移行を指示して（ステップＳ１７）、図３の処理を終了する。
【００３６】
一方、ステップＳ１６において、リモートデスクトップクライアント部１２が終了していない（すなわち、Ｎｏ）と判定された場合には、再度ステップＳ１６において、リモートデスクトップクライアント部１２が終了したか否かが判定される。
【００３７】
また、ステップＳ１３において、ネットワーク設定記憶部４４に対するネットワーク設定書き込みが成功していない（すなわち、Ｎｏ）と判定された場合には、管理エンジンアクセス部１１は、リモート管理操作が実行できないことを管理者に通報して（ステップＳ１８）、図３の処理を終了する。ここで、ステップＳ１３の具体的な判定方法は、上述したとおりである。
【００３８】
以下、図４のフローチャートを参照しながら、リモート管理装置１０のリモートデスクトップクライアント部１２の動作について説明する。
まず、リモートデスクトップクライアント部１２は、端末装置２０のリモートデスクトップサーバ部３１との接続をとる（ステップＳ２１）。
【００３９】
続いて、管理者によって、リモートデスクトップ接続による端末装置２０の管理操作が実行される（ステップＳ２２）。
次に、リモートデスクトップクライアント部１２は、端末装置２０のリモートデスクトップサーバ部３１を切断して（ステップＳ２３）、図４の処理を終了する。
【００４０】
以下、図５のフローチャートを参照しながら、端末装置２０のネットワーク設定部３３の動作について説明する。なお、ここでは、端末装置２０が起動する場合（ＯＳが起動する場合）の動作を示している。
【００４１】
まず、ネットワーク設定部３３は、ネットワーク設定記憶部４４からネットワーク設定を読み出す（ステップＳ３１）。
続いて、ネットワーク設定部３３は、読み出したネットワーク設定をネットワーク通信部３２に設定する（ステップＳ３２）。
【００４２】
次に、ネットワーク設定部３３は、ユーザネットワーク設定記憶部３４に記憶されたネットワーク設定を、ネットワーク設定記憶部４４に書き込む（ステップＳ３３）。
続いて、ネットワーク設定部３３は、利用者によるネットワーク設定操作が開始されたか否かを判定する（ステップＳ３４）。
【００４３】
ステップＳ３４において、ネットワーク設定操作が開始されていない（すなわち、Ｎｏ）と判定された場合には、ネットワーク設定部３３は、端末装置２０のシャットダウンが開始されたか否かを判定する（ステップＳ３５）。
【００４４】
ステップＳ３５において、端末装置２０のシャットダウンが開始された（すなわち、Ｙｅｓ）と判定された場合には、ネットワーク設定部３３は、そのまま図５の処理を終了する。
【００４５】
一方、ステップＳ３４において、ネットワーク設定操作が開始されている（すなわち、Ｙｅｓ）と判定された場合には、ネットワーク設定部３３は、設定されたネットワーク設定をネットワーク通信部３２に設定する（ステップＳ３６）。
【００４６】
続いて、ネットワーク設定部３３は、設定されたネットワーク設定をネットワーク設定記憶部４４およびユーザネットワーク設定記憶部３４に記憶させて（ステップＳ３７）、ステップＳ３４に移行する。
また、ステップＳ３５において、端末装置２０のシャットダウンが開始されていない（すなわち、Ｎｏ）と判定された場合も、ステップＳ３４に移行する。
【００４７】
以上のように、実施の形態１によれば、リモート管理装置は、管理操作を行う端末装置が休止状態にある場合に、リモート管理装置から端末装置に対して所定のネットワーク設定を書き込んだ後に、端末装置を休止状態から活動状態に移行させる。
そのため、リモート管理装置から端末装置のネットワーク設定を事務所ＬＡＮ設定に変更することができる。
したがって、端末装置のネットワーク設定が現場設定のまま事務所ＬＡＮに接続されて電源オフ状態で保管された場合でも、リモート管理装置から端末装置にリモートデスクトップ接続することができる。
また、リモート管理が可能なので、電源稼働状態で端末装置を保管する必要がなく、省エネルギーを実現することができる。
【符号の説明】
【００４８】
１０  リモート管理装置、１１  管理エンジンアクセス部、１２  リモートデスクトップクライアント部、１３  ネットワーク通信部、１４  ネットワークインタフェース部、
２０  端末装置、３０  活動状態動作部、３１  リモートデスクトップサーバ部、３２  ネットワーク通信部、３３  ネットワーク設定部、３４  ユーザネットワーク設定記憶部、３５  管理エンジンインタフェース部、４０  定常動作部、４１  ネットワークインタフェース部、４２  管理エンジン部、４３  不揮発メモリ管理部、４４  ネットワーク設定記憶部、４５  電源管理部、５０  活動状態動作ハードウエア部、５１  ＣＰＵ、５２  ＨＤＤ、５３  ＨＤＤコントローラ、５４  ディスプレイ、５５  ディスプレイコントローラ、５６  スピーカ、５７  サウンドコントローラ、５８  キーボード・マウス、５９  入力コントローラ、６０  定常動作ハードウエア部、６１  管理ＣＰＵ、６２  メモリコントローラ、６３  メモリ、６４  Ｉ／Ｏコントローラ、６５  ＬＡＮインタフェース、６６  不揮発性メモリ、７０  電源供給装置。
【図１】
0005767125.tif 000002
【図２】
0005767125.tif 000003
【図３】
0005767125.tif 000004
【図４】
0005767125.tif 000005
【図５】
0005767125.tif 000006